(57)【特許請求の範囲】
【請求項１】
山部と溝部が一定方向に繰り返される波形状構造部上に形成する、植物生育層を支持するための植物生育層支持構造であって、
位置決め機構を有する３以上の支持体と、植物生育層を支持するための、縦横直交状の枠状部からなる平面視方形状の１又は２以上の多孔平板状部材を有し、
前記複数の支持体は、前記波形状構造部における複数の山部のそれぞれの上に、１又は山部の軸線方向間隔おきに２以上設けられ、
前記各多孔平板状部材は、２以上の山部に設けられた支持体であって一直線上にない３以上の支持体を含む前記支持体上に支持され、
前記位置決め機構は、前記支持体に対し前記多孔平板状部材を所定の水平方向位置関係に位置決めするためのものであり、
前記支持体は、少なくとも前記多孔平板状部材の四隅部が位置する箇所に設けられ、前記四隅部が位置する箇所に設けられる支持体は、位置決め機構として、所定位置を中心とする水平方向の９０度中心角毎に、前記多孔平板状部材の隅部における最外方から縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止する外方移動阻止部を備えることを特徴とする植物生育層支持構造。
【請求項２】
互いに隣接した複数の多孔平板状部材を有し、
少なくとも一部の支持体上には、互いに隣接した複数の多孔平板状部材が支持されている請求項１記載の植物生育層支持構造。
【請求項３】
縦横直交状の枠状部からなる上記多孔平板状部材が、
その枠状部により正方形状の格子目が縦横に整列形成され、
平面視において前記縦横の枠状部にそれぞれ平行な外周縁部からなる方形状をなすものである請求項１又は２記載の植物生育層支持構造。
【請求項４】
上記多孔平板状部材の各外周縁部が、縦横の枠状部が格子目の半幅以下の長さそれぞれ外方に延設されて形成されている請求項３記載の植物生育層支持構造。
【請求項５】
上記多孔平板状部材の各外周縁部は、前記縦横の枠状部が格子目の半幅の長さそれぞれ外方に延設されて形成されており、
上記支持体のうち所定位置を中心とする水平方向の９０度中心角毎に備える外方移動阻止部で囲まれた部分が、多孔平板状部材における縦横（２ｎ−１）の格子目からなる正方形状部分の外周を構成する枠状部に対応するものであり、
前記水平方向の９０度中心角毎に、４つの多孔平板状部材の隅部を、互いに縦方向及び横方向に隣接させて支持体上に支持することにより、隣接する多孔平板状部材の隅部を構成する枠状部の端部同士が各枠状部の軸方向において近接している請求項４記載の植物生育層支持構造。
【請求項６】
上記四隅部が位置する箇所に設けられる支持体と同じ支持体が、上記多孔平板状部材の四隅部が位置する箇所以外の箇所にも設けられ、
その支持体における上向き支持部、及び、外方移動阻止部が、縦横（２ｎ−１）の格子目からなる正方形状部分の外周を構成する枠状部について、それぞれ、少なくとも上向きに支持し、及び、支持体に対し縦方向の枠状部が横方向外方に移動することと横方向の枠状部が縦方向外方に移動することを阻止する請求項５記載の植物生育層支持構造。
【請求項７】
多孔平板状部材上に植物生育層を支持した請求項１乃至６の何れか１項に記載の植物生育層支持構造。
【請求項８】
山部と溝部が一定方向に繰り返される波形状構造部上に植物生育層を支持する植物生育層支持構造を形成するための植物生育層支持構造形成材であって、
前記波形状構造部における複数の山部のそれぞれの上に、１又は山部の軸線方向間隔おきに２以上設けられる支持体と、
２以上の山部に設けられた支持体であって一直線上にない３以上の支持体を含む前記支持体上にそれぞれ支持される、植物生育層を支持するための、縦横直交状の枠状部からなる平面視方形状の１又は２以上の多孔平板状部材を備え、
前記支持体は、その支持体に対し前記多孔平板状部材を所定の水平方向位置関係に位置決めするための位置決め機構を有し、
前記支持体は、少なくとも前記多孔平板状部材の四隅部が位置する箇所に設けられるものであり、前記四隅部が位置する箇所に設けられる支持体は、位置決め機構として、所定位置を中心とする水平方向の９０度中心角毎に、多孔平板状部材の隅部における縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止する外方移動阻止部を備えることを特徴とする植物生育層支持構造形成材。
【請求項９】
多孔平板状部材を複数有し、
少なくとも一部の支持体上に、互いに隣接した複数の多孔平板状部材が支持され得る請求項８記載の植物生育層支持構造形成材。
【請求項１０】
縦横直交状の枠状部からなる上記多孔平板状部材が、
その枠状部により正方形状の格子目が縦横に整列形成され、
平面視において前記縦横の枠状部にそれぞれ平行な外周縁部からなる方形状をなすものである請求項８又は９記載の植物生育層支持構造形成材。
【請求項１１】
上記多孔平板状部材の各外周縁部が、縦横の枠状部が格子目の半幅以下の長さそれぞれ外方に延設されて形成されている請求項１０記載の植物生育層支持構造形成材。
【請求項１２】
上記多孔平板状部材の各外周縁部は、前記縦横の枠状部が格子目の半幅の長さそれぞれ外方に延設されて形成されており、
上記支持体のうち所定位置を中心とする水平方向の９０度中心角毎に備える外方移動阻止部で囲まれた部分が、多孔平板状部材における縦横（２ｎ−１）の格子目からなる正方形状部分の外周を構成する枠状部に対応するものであり、
水平方向の９０度中心角毎に、４つの多孔平板状部材の隅部を互いに縦方向及び横方向に隣接させて支持体上に支持することにより、隣接する多孔平板状部材の隅部を構成する枠状部の端部同士が各枠状部の軸方向において近接する請求項１１記載の植物生育層支持構造形成材。
【請求項１３】
上記支持体は、上記多孔平板状部材の四隅部が位置する箇所以外の箇所にも設けられるものであり、
上記多孔平板状部材の四隅部が位置する箇所以外の箇所にも設けられる支持体が、上記四隅部が位置する箇所に設けられる支持体と同じ支持体であり、
その支持体における上向き支持部、及び、外方移動阻止部が、縦横（２ｎ−１）の格子目からなる正方形状部分の外周を構成する枠状部について、それぞれ、少なくとも上向きに支持し、及び、支持体に対し縦方向の枠状部が横方向外方に移動することと横方向の枠状部が縦方向外方に移動することを阻止する請求項１２記載の植物生育層支持構造形成材。
【請求項１４】
多孔平板状部材上に支持するための植物生育層を備える請求項８乃至１３の何れか１項に記載の植物生育層支持構造形成材。
【請求項１５】
縦横直交状の枠状部からなる平面視方形状の多孔平板状部材を支持し得、その多孔平板状部材を所定の水平方向位置関係に位置決めするための位置決め機構を有する支持体であって、
位置決め機構として、所定位置を中心とする水平方向の９０度中心角毎に、多孔平板状部材の隅部における縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止し得る外方移動阻止部を備えることを特徴とする支持体。
【請求項１６】
上記多孔平板状部材が、その枠状部により正方形状の格子目が縦横に整列形成され、平面視において前記縦横の枠状部にそれぞれ平行な外周縁部からなる方形状をなすものである請求項１５記載の支持体。
【請求項１７】
上記多孔平板状部材の各外周縁部が、縦横の枠状部が格子目の半幅以下の長さそれぞれ外方に延設されて形成されている請求項１６記載の支持体。
【発明の詳細な説明】
【技術分野】
【０００１】
本発明は、折板屋根等の山部と溝部が一定方向に繰り返される波形状断面屋根等の波形状構造部上に植物生育層を支持するための植物生育層支持構造、その植物生育層支持構造を形成するための植物生育層支持構造形成材、及び植物生育層支持構造における多孔平板状部材を支持するための支持体に関する。
【背景技術】
【０００２】
工場等の屋根に広く用いられている折板屋根やその他の山部と溝部が一定方向に繰り返される波形状断面屋根に植物生育層を設けて緑化屋根とするための提案が種々行われている。
【０００３】
例えば、特開２００７−３３２７６６号公報には、
「複数の金属板を、ハゼ継ぎ部を介して、左右方向に連結してなる金属屋根において、
緑化用トレーを左右前後に複数敷設して、金属屋根上部の緑化を行う緑化システムであって、
上部が開放された箱型容器状で、側面部の上端において外方に折り返し形成されたつば部を有するとともに、培養土が充填され、緑化植物が予め植栽された緑化用トレーと、
上部に固定ボルトを立設されるとともに、金属屋根の屋根面から突出するハゼ継ぎ部を挟持し、所定の間隔で設置される支持部材と、
幅方向両側に、且つ長さ方向に連続して、押え部が形成された断面視略逆ハット形状をなし、該固定ボルトを挿通して該支持部材に支持され、金属屋根の流れ方向に略直交して複数列置される長尺のレール部材と、を備え、
該押え部が、左右に隣り合う複数の緑化用トレーの該つば部上面と当接して、緑化用トレーの浮揚を防止するようになされた緑化システム」の発明が開示されている。
【０００４】
この発明によれば、強固な構造でありながら、より簡単且つ迅速な施工が可能であり、メンテナンス性にも優れた金属屋根の緑化技術を提供することができるとされている。
【０００５】
しかしながら、緑化用トレーを多数設置し、各緑化用トレーの箱状の収容部に培養土を充填してその培養土に緑化植物を栽培するものであるため、隣接する緑化用トレーの各収容部の間に、植物を栽培し得ない中断箇所が生じるものであり、また、重量が比較的嵩むという課題があった。
【０００６】
また例えば特開２００７−１８１４７０には、
「上面に上載荷重を受け止める略平坦な取付面を有し、折板屋根の山部の頂部にその長さ方向に沿って固定設置した複数本の根太フレームと、
前記複数本の根太フレームにわたって敷設固定した略平坦な網状部材と、
前記網状部材上に設けた植栽層と、
を備えた折板屋根の屋根緑化設備」の発明が開示されている。
【０００７】
この発明によれば、「折板屋根の山部の頂部に根太フレームを固定し、根太フレームの略平坦な取付面に網状部材を固定載置するので、植栽層の下地材としての網状部材を折板屋根に対して折板屋根固定用の剣先ボルトだけで確実に固定できることになる。また、ハゼで固定した折板屋根に適用する場合においても、剣先ボルトで固定した折板屋根と同様に、根太フレームと折板屋根との接触面積を十分に確保できるので、植栽層の下地材としての網状部材を折板屋根に対して強固に固定できることになる。しかも、既設の折板屋根にも施工でき、折板屋根に対する加工も不要なので容易に施工できる。
【０００８】
また、植栽層への降雨水をそのまま折板屋根の谷部へ排水でき、折板屋根の排水構造を活用して降雨水を排水できるので、構成を複雑にすることなく、排水性に優れた屋根緑化設備を実現できる。また、植栽層自体が折板屋根に直接的に接触しないので、折板屋根の腐蝕等を防止できるとともに、太陽光線による折板屋根の耐久性の低下を防止でき、折板屋根の耐用年数を向上できる。
【０００９】
植栽層として網状部材上に植栽マットを敷設し、複数の植栽固定金具を介して植栽マットを網状部材に固定すると、屋根緑化設備全体を折板屋根に対して折板屋根固定用の剣先ボルトだけで確実に固定できることになる。また、網状部材により折板屋根上に軽量且つ安定した略平坦な設置面を形成できるので、屋根緑化で実績のある軽量且つ簡易な薄層緑化設備の植栽マットを網状部材の上側にそのまま施工することが可能となる。」とされている。
【００１０】
この場合、緑化用トレーを用いないため、隣接する緑化用トレーの各収容部の間に植物を栽培し得ない中断箇所が生じるという問題がなく、また、比較的軽量化することが可能である。
【００１１】
しかしながら、折板屋根の山部の頂部に固定された根太フレームの略平坦な取付面に固定する網状部材及びその網状部材上に固定される植栽マットは、それらのサイズや固定位置等を対象となる折板屋根毎に個別に算出して材料を容易しなければならず、屋根上での施工作業も繁雑となる。
【００１２】
特開２０１１−４７１６４号公報には、
「山部と溝部が一定方向に所定繰り返し長で繰り返される波形状断面屋根に植物生育層を設けて緑化屋根とするための緑化屋根形成材であって、
前記波形状断面屋根の山部上に、所定間隔おきに並列する状態で固定される複数の梁状支持部材と、
それらの梁状支持部材上に保持される所定形態の複数の多孔平板状部材を有し、
前記並列した梁状支持部材上に前記所定形態の複数の多孔平板状部材が隣接配置されるようにそれらの多孔平板状部材を所定位置に保持するための多孔平板状部材保持機構を備えると共に、
前記並列した梁状支持部材上に隣接配置された多孔平板状部材上に所定形態の植物生育層形成体が隣接配置されるようにそれらの植物生育層形成体を所定位置に保持するための植物生育層形成体保持機構を備えることを特徴とする緑化屋根形成材」の発明が開示されている。
【００１３】
この発明によれば、載荷重量が比較的小さい緑化屋根を、効率良く確実に形成することができるが、更に別の手段の開発が望まれる。
【先行技術文献】
【特許文献】
【００１４】
【特許文献１】特開２００７−３３２７６６号公報
【特許文献２】特開２００７−１８１４７０号公報
【特許文献３】特開２０１１−４７１６４号公報
【発明の概要】
【発明が解決しようとする課題】
【００１５】
本発明は、従来技術に存した上記のような課題に鑑み行われたものであって、その目的とするところは、載荷重量が可及的に小さい植物生育層支持構造を、より効率良く簡便に形成することができる植物生育層支持構造、植物生育層支持構造形成材及び支持体を提供することにある。
【課題を解決するための手段】
【００１６】
(1) 本発明の植物生育層支持構造は、
山部と溝部が一定方向に繰り返される波形状構造部上に形成する、植物生育層を支持するための植物生育層支持構造であって、
位置決め機構を有する３以上の支持体と、植物生育層を支持するための１又は２以上の多孔平板状部材を有し、
前記複数の支持体は、前記波形状構造部における複数の山部のそれぞれの上に、１又は山部の軸線方向間隔おきに２以上設けられ、
前記各多孔平板状部材は、２以上の山部に設けられた支持体であって一直線上にない３以上の支持体を含む前記支持体上に支持され、
前記位置決め機構は、前記支持体に対し前記多孔平板状部材を所定の水平方向位置関係に位置決めするためのものであることを特徴とする。
【００１７】
また本発明の植物生育層支持構造形成材は、
山部と溝部が一定方向に繰り返される波形状構造部上に植物生育層を支持する植物生育層支持構造を形成するための植物生育層支持構造形成材であって、
前記波形状構造部における複数の山部のそれぞれの上に、１又は山部の軸線方向間隔おきに２以上設けられる支持体と、
２以上の山部に設けられた支持体であって一直線上にない３以上の支持体を含む前記支持体上にそれぞれ支持される、植物生育層を支持するための１又は２以上の多孔平板状部材を備え、
前記支持体は、その支持体に対し前記多孔平板状部材を所定の水平方向位置関係に位置決めするための位置決め機構を有することを特徴とする。
【００１８】
波形状構造部の山部に設けられた支持体のうち、２以上の山部に設けられた支持体であって一直線上にない３以上の支持体を含む支持体（例えば、任意の３つが一直線上にない４つの支持体を含む４以上の支持体）によって、多孔平板状部材がそれらの支持体上に支持される。
【００１９】
その多孔平板状部材は、位置決め機構によって、前記支持体に対し所定の水平方向位置関係に位置決めされ得る。
【００２０】
従って、山部に設けた前記各支持体により、効率良く簡便に多孔平板状部材を支持体に対し所定の水平方向位置関係に位置決めすることができ、支持体上に支持された多孔平板状部材上に植物生育層を支持してその植物生育層において植物を生育することができる。
【００２１】
(2) 本発明の植物生育層支持構造は、互いに隣接した複数の多孔平板状部材を有し、
少なくとも一部の支持体上には、互いに隣接した複数の多孔平板状部材が支持されているものとすることができる。
【００２２】
また本発明の植物生育層支持構造形成材は、多孔平板状部材を複数有し、
少なくとも一部の支持体上に、互いに隣接した複数の多孔平板状部材が支持され得るものとすることができる。
【００２３】
この場合、少なくとも一部の支持体上には、互いに隣接した複数の多孔平板状部材が支持されているので、複数の多孔平板状部材を、それぞれ支持体に対し所定の水平方向位置関係でより効率良く支持することができ、支持体に支持される複数の多孔平板状部材同士も所定の水平方向位置関係とすることができる。
【００２４】
(3) 本発明の植物生育層支持構造は、
上記多孔平板状部材が、
縦横直交状の枠状部からなり、
その枠状部により正方形状の格子目が縦横に整列形成され、
平面視において前記縦横の枠状部にそれぞれ平行な外周縁部からなる方形状をなし、
各外周縁部は、前記縦横の枠状部が格子目の半幅の長さそれぞれ外方に延設されて形成されているものとすることができる。
【００２５】
また本発明の植物生育層支持構造形成材は、
上記多孔平板状部材が、
縦横直交状の枠状部からなり、
その枠状部により正方形状の格子目が縦横に整列形成され、
平面視において前記縦横の枠状部にそれぞれ平行な外周縁部からなる方形状をなし、
各外周縁部は、前記縦横の枠状部が格子目の半幅の長さそれぞれ外方に延設されて形成されているものとすることができる。
【００２６】
この場合、多孔平板状部材を縦方向および／または横方向に隣接整列させると、互いに隣接する多孔平板状部材の外周縁部を構成する半幅分の格子目が相対して隣接することにより、格子目と同等の正方形状の格子目状部が形成され、それらの多孔平板状部材が連続状をなす。
【００２７】
(4) 本発明の植物生育層支持構造は、
上記支持体が、少なくとも上記多孔平板状部材の四隅部が位置する箇所に設けられ、
前記四隅部が位置する箇所に設けられる支持体は、位置決め機構として、所定位置を中心とする水平方向の９０度中心角毎に、上記多孔平板状部材の隅部における最外方から縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止する外方移動阻止部を備えるものとすることができる。
【００２８】
また本発明の植物生育層支持構造形成材は、
上記支持体は、少なくとも上記多孔平板状部材の四隅部が位置する箇所に設けられるものであり、
前記四隅部が位置する箇所に設けられる支持体は、位置決め機構として、所定位置を中心とする水平方向の９０度中心角毎に、多孔平板状部材の隅部における縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止する外方移動阻止部を備えるものとすることができる。
【００２９】
多孔平板状部材の四隅部が位置する箇所に設けられた支持体における、所定位置を中心とする水平方向の９０度中心角毎に設けられた上向き支持部と外方移動阻止部により、多孔平板状部材の隅部における縦横ｎ本目の枠状部のうち両枠状部の交差位置よりも外方部分が、少なくとも上向きに支持されると共に支持体に対し縦方向の枠状部が横方向外方に移動すること及び横方向の枠状部が縦方向外方に移動することが阻止される。
【００３０】
従って、支持体における、前記水平方向の９０度中心角毎に、４つの多孔平板状部材の隅部を、互いに縦方向及び横方向に隣接させて支持することにより、４つの多孔平板状部材の隅部をそれぞれ少なくとも上向きに支持すると共に支持体に対しそれぞれ縦方向の枠状部が横方向外方に移動すること及び横方向の枠状部が縦方向外方に移動することを阻止して支持体に対し所定の水平方向位置関係に位置決めすることができる。
【００３１】
(5) 本発明の植物生育層支持構造は、
支持体のうち所定位置を中心とする水平方向の９０度中心角毎に備える外方移動阻止部で囲まれた部分が、多孔平板状部材における縦横（２ｎ−１）の格子目からなる正方形状部分の外周を構成する枠状部に対応するものであり、
前記水平方向の９０度中心角毎に、４つの多孔平板状部材の隅部を、互いに縦方向及び横方向に隣接させて支持体上に支持することにより、隣接する多孔平板状部材の隅部を構成する枠状部の端部同士が各枠状部の軸方向において近接しているものとすることができる。
【００３２】
また本発明の植物生育層支持構造形成材は、
支持体のうち所定位置を中心とする水平方向の９０度中心角毎に備える外方移動阻止部で囲まれた部分が、多孔平板状部材における縦横（２ｎ−１）の格子目からなる正方形状部分の外周を構成する枠状部に対応するものであり、
水平方向の９０度中心角毎に、４つの多孔平板状部材の隅部を互いに縦方向及び横方向に隣接させて支持体上に支持することにより、隣接する多孔平板状部材の隅部を構成する枠状部の端部同士が各枠状部の軸方向において近接するものとすることができる。
【００３３】
この場合、支持体のうち所定位置を中心とする水平方向の９０度中心角毎に備える外方移動阻止部で囲まれた部分が、多孔平板状部材における縦横（２ｎ−１）の格子目からなる正方形状部分の外周を構成する枠状部に対応し、水平方向の９０度中心角毎に、４つの多孔平板状部材の隅部を互いに縦方向及び横方向に隣接させて支持することにより、隣接する多孔平板状部材の隅部を構成する枠状部の端部同士が各枠状部の軸方向において近接（接する場合を含む）したものとなる。
【００３４】
この状態において、４つの多孔平板状部材の各隅部における最外方から縦横ｎ本目の枠状部のうち両枠状部の交差位置よりも外方部分について、上向き支持部が、少なくとも上向きに支持すると共に、外方移動阻止部が、支持体に対し縦方向の枠状部が横方向外方に移動すること及び横方向の枠状部が縦方向外方に移動することを阻止する。これにより、支持体に対し４つの多孔平板状部材の隅部を所定の水平方向位置関係に位置決めすることができ、各隅部の頂点の水平方向位置が前記所定位置にほぼ一致又は一致するものとなる。
【００３５】
(6) 本発明の植物生育層支持構造は、上記四隅部が位置する箇所に設けられる支持体と同じ支持体が、上記多孔平板状部材の四隅部が位置する箇所以外の箇所にも設けられ、
その支持体における上向き支持部、及び、外方移動阻止部が、縦横（２ｎ−１）の格子目からなる正方形状部分の外周を構成する枠状部について、それぞれ、少なくとも上向きに支持し、及び、支持体に対し縦方向の枠状部が横方向外方に移動することと横方向の枠状部が縦方向外方に移動することを阻止するものとすることができる。
【００３６】
また本発明の植物生育層支持構造形成材は、
上記支持体は、上記多孔平板状部材の四隅部が位置する箇所以外の箇所にも設けられるものであり、
上記多孔平板状部材の四隅部が位置する箇所以外の箇所にも設けられる支持体が、上記四隅部が位置する箇所に設けられる支持体と同じ支持体であり、
その支持体における上向き支持部、及び、外方移動阻止部が、縦横（２ｎ−１）の格子目からなる正方形状部分の外周を構成する枠状部について、それぞれ、少なくとも上向きに支持し、及び、支持体に対し縦方向の枠状部が横方向外方に移動することと横方向の枠状部が縦方向外方に移動することを阻止するものとすることができる。
【００３７】
四隅部が位置する箇所に設けられる支持体と同じ支持体を用いて、多孔平板状部材の四隅部が位置する箇所以外の箇所における縦横（２ｎ−１）の格子目からなる正方形状部分の外周を構成する枠状部を、支持体における上向き支持部、及び、外方移動阻止部により、それぞれ、少なくとも上向きに支持し、及び、支持体に対し縦方向の枠状部が横方向外方に移動することと横方向の枠状部が縦方向外方に移動することを阻止して、支持体に対し所定の水平方向位置関係に位置決めすることができる。
【００３８】
(7) 本発明の植物生育層支持構造は、多孔平板状部材上に植物生育層を支持したものとすることができる。
【００３９】
また本発明の植物生育層支持構造形成材は、
多孔平板状部材上に支持するための植物生育層を備えるものとすることができる。
【００４０】
この場合、多孔平板状部材上に支持された植物生育層において植物を生育することができる。
【００４１】
(8) 本発明の支持体は、
縦横直交状の枠状部からなり、その枠状部により正方形状の格子目が縦横に整列形成され、平面視において前記枠状部に平行な外周縁からなる方形状をなし、各外周縁は、前記縦横の枠状部が格子目の半幅の長さそれぞれ外方に延設されて形成されている多孔平板状部材を支持するための支持体であって、
位置決め機構として、所定位置を中心とする水平方向の９０度中心角毎に、多孔平板状部材の隅部における縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止する外方移動阻止部を備える。
【００４２】
支持体における、所定位置を中心とする水平方向の９０度中心角毎に設けられた上向き支持部と外方移動阻止部により、多孔平板状部材の隅部における縦横ｎ本目の枠状部のうち両枠状部の交差位置よりも外方部分が、少なくとも上向きに支持されると共に支持体に対し縦方向の枠状部が横方向外方に移動すること及び横方向の枠状部が縦方向外方に移動することが阻止される。
【００４３】
従って、支持体における、水平方向の９０度中心角毎に、４つの多孔平板状部材の隅部を互いに縦方向及び横方向に隣接させて支持することにより、４つの多孔平板状部材の隅部をそれぞれ少なくとも上向きに支持すると共に支持体に対し縦方向の枠状部が横方向外方に移動すること及び横方向の枠状部が縦方向外方に移動することを阻止して支持体に対し所定の水平方向位置関係に位置決めすることができる。
【００４４】
また、多孔平板状部材の四隅部が位置する箇所以外の箇所における縦横（２ｎ−１）の格子目からなる正方形状部分の外周を構成する枠状部を、支持体における上向き支持部、及び、外方移動阻止部により、それぞれ、少なくとも上向きに支持し、及び、支持体に対し縦方向の枠状部が横方向外方に移動することと横方向の枠状部が縦方向外方に移動することを阻止して、支持体に対し所定の水平方向位置関係に位置決めすることができる。
【発明の効果】
【００４５】
本発明の植物生育層支持構造及び植物生育層支持構造形成材によれば、波形状構造部の山部に設けられた支持体のうち、２以上の山部に設けられた支持体であって一直線上にない３以上の支持体を含む支持体によって、多孔平板状部材がそれらの支持体上に、位置決め機構によって支持体に対し所定の水平方向位置関係に位置決めされる。
【００４６】
従って、山部に設けた前記各支持体によって、効率良く簡便に多孔平板状部材を支持体に対し所定の水平方向位置関係に位置決めすることにより、支持体上に支持された多孔平板状部材上に植物生育層を支持してその植物生育層において植物を生育し得る、載荷重量が可及的に小さい植物生育層支持構造を提供することができる。
【図面の簡単な説明】
【００４７】
【図１】植物生育層支持構造の組み立て状態を示す斜視図である。
【図２】図１におけるＡ部拡大斜視図である。
【図３】図１におけるＢ部拡大斜視図である。
【図４】図１におけるＢ部拡大正面図である。
【図５】図１におけるＣ部拡大斜視図である。
【図６】支持体の拡大斜視図である。
【図７】ワイヤーネットの斜視図である。
【図８】ワイヤーネット上の一部に植物生育層を支持した植物生育層支持構造の組み立て状態を示す斜視図である。
【図９】ワイヤーネット上の一部に植物生育層を支持した植物生育層支持構造の組み立て状態を示す斜視図である。
【図１０】図９におけるＤ部拡大斜視図である。
【図１１】ワイヤーネット上に植物生育層を支持した植物生育層支持構造の組み立て状態を示す斜視図である。
【発明を実施するための形態】
【００４８】
[1] 本発明の実施の形態を、図面を参照しつつ説明する。
【００４９】
図１乃至図８は、何れも本発明の実施の形態の一例としての植物生育層支持構造形成材からなる植物生育層支持構造に関する。図１乃至図５は、植物生育層を省略して示す。図８は、ワイヤーネット上の一部に植物生育層を支持した状態を示す。図１乃至図８における同一の符号は同一部位を示す。
【００５０】
(1) この植物生育層支持構造Ｇは、建築物の屋根を構成する折板屋根Ｆ（波形状構造部）上に、多数の支持体Ｓと、複数のワイヤーネットＮ（多孔平板状部材）と、複数の植物生育層形成マットＭ（植物生育層形成体）を備えてなる。
【００５１】
折板屋根Ｆは、溝部Ｆ１を挟んで両側に山部Ｆ２の半幅を有する一定の金属板製の折板ユニットＦａ同士が、それらの両側の頂部同士においてはぜ継ぎされることにより、山部Ｆ２と溝部Ｆ１が一定方向に所定繰り返し長Ｌ（山部Ｆ２から次の山部Ｆ２に至る繰り返し長）で繰り返されるはぜ継ぎ式折板屋根である。
【００５２】
(2) 折板屋根Ｆにおいて所定繰り返し長Ｌ毎に並列した山部Ｆ２のはぜ部Ｆ３に、雄螺子部Ｐ１（上方突出の保持可能部）を上向きに突出するはぜ金具Ｐが、はぜ部Ｆ３を、その軸線方向に直交する方向に挟持することにより固定されている。はぜ金具Ｐは、各山部Ｆ２のはぜ部Ｆ３に対し、山部Ｆ２の軸線方向に一定間隔（この例では所定繰り返し長Ｌと同じ間隔）おきに位置し、山部Ｆ２の軸線方向に直交する方向においても一列に並ぶ。
【００５３】
(3) ワイヤーネットＮは、縦横等間隔に直交状をなす横方向針金Ｎ１（横方向の枠状部）と縦方向針金Ｎ２（縦方向の枠状部）からなり、その横方向針金Ｎ１と縦方向針金Ｎ２により、同一の正方形状の格子目Ｎ３が縦横に整列形成され、平面視において横方向針金Ｎ１と縦方向針金Ｎ２に平行な外周縁からなる方形状をなす。ワイヤーネットＮの各外周縁は、横方向針金Ｎ１と縦方向針金Ｎ２が格子目Ｎ３の半幅の長さそれぞれ外方に延設されて形成されている（縦方向の外周縁部においては横方向針金Ｎ１が同一軸線上に延設され、横方向の外周縁部においては縦方向針金Ｎ２が同一軸線上に延設されている。）。ワイヤーネットＮの平面視における輪郭は、短辺の長さが所定繰り返し長Ｌの２倍で長辺の長さが所定繰り返し長Ｌの４倍の略長方形状である。隣接横方向針金Ｎ１間の距離及び隣接縦方向針金Ｎ２間の距離並びに格子目Ｎ３縦横は何れもＬ／５であり、各外周縁における、横方向針金Ｎ１及び縦方向針金Ｎ２の各外方延設部である横方向外方延設部Ｎ１ａ及び縦方向外方延設部Ｎ２ａの長さはＬ／１０である。
【００５４】
(4) 支持体Ｓは、角取りが施された平面視正方形状の平板状部Ｓ１の各辺に、それぞれ両側を均等に除いた横長長方形状の同一の立上部Ｓ２（平板状部Ｓ１の中心に対し水平方向の９０度中心角毎に備える外方移動阻止部であって、隣接する９０度中心角部分における外方移動阻止部と連続し、縦方向の枠状部が横方向外方に移動することを阻止する外方移動阻止部と、支持体に対し横方向の枠状部が縦方向外方に移動することを阻止する外方移動阻止部は分離している。）を有すると共に、平板状部の中央に、はぜ金具Ｐの上向き突出の雄螺子部Ｐ１に嵌合させて支持体Ｓをはぜ金具Ｐに固定するための固定孔Ｓ３を有してなる。平板状部Ｓ１の四箇所の隅部Ｓ４には立上部Ｓ２が存在しない。支持体Ｓのうち立上部Ｓ２で囲まれた部分が、ワイヤーネットＮにおける１つ［（２ｎ−１）におけるｎ＝１］の格子目Ｓ３の外周を構成する横方向針金Ｎ１と縦方向針金Ｎ２からなる正方形状部分に対応する。
【００５５】
各はぜ金具Ｐには支持体Ｓが固定されている。はぜ金具Ｐに対する支持体Ｓの固定は、雄螺子部Ｐ１を固定孔Ｓ３に挿通し、雄螺子部Ｐ１に笠付きナットＰ２を螺合させてはぜ金具Ｐ本体との間に平板状部Ｓ１を締結することにより行なわれている。支持体Ｓは、その四辺が折板屋根Ｆの山部Ｆ２の軸線方向と平行又は垂直になるように設けることが望ましい。
【００５６】
(5) 植物生育層形成マットＭは、平面視においてワイヤーネットＮと同等の輪郭の長方形状をなすほぼ一定厚さの保水性の繊維製マットである。この植物生育層形成マットＭは、ポリエステル系合成繊維を約８０％含む繊維で編み組みされた織布の廃棄屑を開繊して繊維状に加工したものを主材料とし、これに、低融点のポリエステル繊維（例えば全体の約２０重量％）をバインダー繊維として混合分散させたものを所定の厚さに方向性なく立体的に集合させた繊維の集合体を、バインダー繊維が溶融する温度まで加熱した後プレス（繊維等が集合した状態の厚さに対して約２５％の厚さとなるようプレス）し、バインダー繊維を冷却・硬化させて繊維同士を結合させ繊維の間に無数の空隙を形成した状態で得られたものである。
【００５７】
(6) ワイヤーネットＮの一方の短辺を、同一の山部Ｆ２に設けられた隣り合う３つの支持体Ｓにより支持し、ワイヤーネットＮの他方の短辺を、前記山部Ｆ２から４Ｌ離れた山部Ｆ２に設けられた隣り合う３つの支持体Ｓにより支持すると、ワイヤーネットＮの各角部（隅部）は、横方向針金Ｎ１と縦方向針金Ｎ２のＬ／１０の長さの横方向外方延設部Ｎ１ａ及び縦方向外方延設部Ｎ２ａが、図２に示されるようにそれぞれ支持体Ｓの平板状部Ｓ１における直交状に隣接する立上部Ｓ２に沿う部分（上向き支持部）の上に支持され、その横方向外方延設部Ｎ１ａは、近接する立上部Ｓ２によって支持体に対し縦方向外方に移動することが阻止され、その縦方向外方延設部Ｎ２ａは、近接する立上部Ｓ２によって支持体に対し横方向外方に移動することが阻止される。更に、この例においてワイヤーネットＮを構成する縦横の針金のうち下側に位置する横方向針金Ｎ１の横方向外方延設部Ｎ１ａは、平板状部Ｓ１と笠付きナットＰ２の間に挟持される細幅板状の保持体Ｈの端部によって平板状部Ｓ１との間に上側から挟む状態で保持されている。
【００５８】
ワイヤーネットＮの長辺の中間に位置する支持体Ｓは、図５に示されるように、隣り合う２本の横方向外方延設部Ｎ１ａを、平板状部Ｓ１における縦方向に向かい合う立上部Ｓ２に沿う部分（上向き支持部）においてそれぞれ支持し、両横方向外方延設部Ｎ１ａの基部同士を連結する縦方向針金Ｎ２を、平板状部Ｓ１における立上部Ｓ２に沿う部分（上向き支持部）において支持する。横方向外方延設部Ｎ１ａは、近接する立上部Ｓ２によって支持体に対し縦方向外方に移動することが阻止され、縦方向針金Ｎ２は、近接する立上部Ｓ２によって支持体に対し横方向外方に移動することが阻止される。更に、両横方向外方延設部Ｎ１ａは、平板状部Ｓ１と笠付きナットＰ２の間に挟持される保持体Ｈの端部によって平板状部Ｓ１との間に上側から挟む状態で保持されている。
【００５９】
ワイヤーネットＮの短辺の中間に位置する支持体Ｓは、隣り合う２本の縦方向外方延設部Ｎ２ａを、平板状部Ｓ１における横方向に向かい合う立上部Ｓ２に沿う部分（上向き支持部）において支持し、両縦方向外方延設部Ｎ２ａの基部同士を連結する横方向針金Ｎ１を、平板状部Ｓ１における立上部Ｓ２に沿う部分（上向き支持部）において支持する。縦方向外方延設部Ｎ２ａは、近接する立上部Ｓ２によって支持体に対し横方向外方に移動することが阻止され、横方向針金Ｎ１は、近接する立上部Ｓ２によって支持体に対し縦方向外方に移動することが阻止される。
【００６０】
ワイヤーネットＮの内方部に位置する支持体Ｓは、図３に示されるように、１つの格子目Ｎ３を構成する隣り合う２本の横方向針金Ｎ１を、平板状部Ｓ１における縦方向に向かい合う立上部Ｓ２に沿う部分（上向き支持部）において支持し、同じ格子目Ｎ３を構成する隣り合う２本の縦方向針金Ｎ２を、平板状部Ｓ１における横方向に向かい合う立上部Ｓ２に沿う部分（上向き支持部）において支持する。横方向針金Ｎ１は、近接する立上部Ｓ２によって支持体に対し縦方向外方に移動することが阻止され、縦方向針金Ｎ２は、近接する立上部Ｓ２によって支持体に対し横方向外方に移動することが阻止される。
【００６１】
このようにして、折板屋根Ｆの山部Ｆ２に設けられた多数の支持体Ｓによって、各支持体Ｓに対し所定の水平方向位置関係でワイヤーネットＮを支持することができる。
【００６２】
別のワイヤーネットＮについても、前記ワイヤーネットＮの短辺又は長辺にそれぞれ隣接させて同様に支持体Ｓにより支持することができる。
【００６３】
短辺の中間に位置する支持体Ｓは、隣接する両ワイヤーネットＮのそれぞれにおける隣り合う２本の縦方向外方延設部Ｎ２ａ及び両縦方向外方延設部Ｎ２ａの基部同士を連結する横方向針金Ｎ１を支持し、長辺の中間に位置する支持体Ｓは、隣接する両ワイヤーネットＮのそれぞれにおける隣り合う２本の横方向外方延設部Ｎ１ａ及び両横方向外方延設部Ｎ１ａの基部同士を連結する縦方向針金Ｎ２を共に支持することとなる。
【００６４】
また、ワイヤーネットＮの角部（隅部）に位置する支持体Ｓは、２、３又は４つの隣接するワイヤーネットＮの角部のそれぞれにおける横方向外方延設部Ｎ１ａ及び縦方向外方延設部Ｎ２ａを何れも支持することとなる。その場合、隣接するワイヤーネットＮの角部を構成する横方向外方延設部Ｎ１ａの端部同士及び縦方向外方延設部Ｎ２ａの端部同士が、それぞれの軸方向において近接（接する場合を含む）したものとなる。また、それらのワイヤーネットＮの各角部の頂点の水平方向位置は、平板状部Ｓ１の中心位置にほぼ一致するものとなる。
【００６５】
このようにして、複数のワイヤーネットＮを縦横に隣接させて支持体Ｓ上に支持することができる。
【００６６】
(7) 支持体Ｓ上に支持されたワイヤーネットＮ上に植物生育層形成マットＭを重ね合わせ、はぜ金具Ｐの雄螺子部Ｐ１に対し固定する押え金具Ｐ３により植物生育層形成マットＭの隅部を押え、その上に、はぜ金具Ｐの雄螺子部Ｐ１に対し押え金具Ｐ３を利用してワイヤＷを張設することにより、植物生育層形成マットＭ及びその植物生育層形成マットＭにおいて生育する植物を含めて脱落を防止する。
【００６７】
押え金具Ｐ３は、四隅部に爪状の下方突起部Ｐ３ｃを有する正方形状をなす板状部材（外周縁部の複数箇所に下方突起部を有する板状部材）の中央部に貫通孔Ｐ３ａを有し、その貫通孔Ｐ３ａの側方に１又は２（３以上であってもよい）のワイヤ端部掛止孔Ｐ３ｂを有してなる。
【００６８】
押え金具Ｐ３は、その貫通孔にはぜ金具Ｐの雄螺子部Ｐ１を挿通し、支持体Ｓとの間に植物生育層形成マットＭを上下に挟んだ状態で、雄螺子部Ｐ１に対しナットＰ５で固定される。押え金具Ｐ３の下方突起部Ｐ３ｃは、植物生育層形成マットＭに食い込むことにより植物生育層形成マットＭをより確実に挟持している。
【００６９】
支持体Ｓと押え金具Ｐ３の間は、はぜ金具Ｐの雄螺子部Ｐ１に対し外嵌した筒状をなすスペーサＰ６によって最小限の上下方向間隔が確保されている。
【００７０】
ワイヤＷは、Ｕ字状（或いはその他の形状）に折り返された折返端部Ｗ１において各押え金具Ｐ３のワイヤ端部掛止孔Ｐ３ｂに掛止されることにより、互いに離隔した押え金具Ｐ３間に張設されている。ワイヤ端部掛止孔Ｐ３ｂに掛止したワイヤＷの折返端部Ｗ１は、はぜ金具Ｐの雄螺子部Ｐ１に嵌合し、ナットＰ５で固定されたワイヤ押さえＰ４によって、ワイヤ端部掛止孔Ｐ３ｂからの脱落が防がれている。
【００７１】
このようにして複数の植物生育層形成マットＭをワイヤーネットＮ上に縦横整列状に隣接配置させることができる。隣接配置された植物生育層形成マットＭの外周縁部は、断面Ｌ字形状の縁押さえ金具Ｕにより上面側及び側面側が覆われて押えられている。縁押さえ金具Ｕ同士の継目部は、断面Ｌ字形状の継目覆いＵ１により覆われており、縁押さえ金具Ｕ同士の交差部は、平面視Ｌ字板状部の外側に立板部を有する交差部覆いＵ２により覆われている。
【００７２】
このようにして、植物生育層形成マットＭが隣接配置されて中断箇所なく形成された植物生育層において植物を生育し得、それらの植物生育層形成マットＭにおける余分な水分が、その下側に配置されたワイヤーネットＮを介して折板屋根Ｆに排水される、載荷重量が比較的小さい植物生育層支持構造Ｇを、効率良く確実に形成することができる。
【００７３】
上記のように植物生育層形成マットＭの上にワイヤＷを張設することに替えて、図９及び図１０に示す例のような細目のワイヤからなるワイヤーネットＹや、図１１に示す例のような可撓性の条体（例えば紐や糸）からなる網状体Ｚで植物生育層形成マットＭやその植物生育層形成マットＭにおいて生育する植物を覆うことによりそれらの脱落を防止するものとすることもできる。
【００７４】
図９及び図１０に示す例では、前記例における押え金具Ｐ３に替えて押さえ金具Ｐ７を用い、ワイヤ押さえＰ４は用いない。
【００７５】
押さえ金具Ｐ７は、四辺のそれぞれにおける両端よりやや内側に一対の爪状の下方突起部Ｐ７ａを有する正方形状をなす板状部材の中央部に貫通孔を有してなる。
【００７６】
植物生育層形成マットＭ上に、平面視長方形状のワイヤーネットＹを配し、そのワイヤーネットＹ上における長辺に平行に短辺方向の中央及び両端やや内寄りにそれぞれ押さえワイヤＹ１を配する。
【００７７】
押え金具Ｐ７は、その貫通孔にはぜ金具Ｐの雄螺子部Ｐ１を挿通し、支持体Ｓとの間に植物生育層形成マットＭ、ワイヤーネットＹ及び押さえワイヤＹ１を位置させ、ワイヤーネットＹを構成するワイヤ及び押さえワイヤＹ１を下方突起部Ｐ７ａの間に位置させた状態で、雄螺子部Ｐ１に対しナットＰ５で固定される。押え金具Ｐ７の下方突起部Ｐ７ａは、植物生育層形成マットＭに食い込むことにより植物生育層形成マットＭをより確実に挟持している。
【００７８】
図９及び図１０における他の符号は、図１乃至図８に示すものと同じものを示す。
【００７９】
図１１に示す例では、前記例における押え金具Ｐ３に替えて押さえ金具Ｐ８を用い、ワイヤ押さえＰ４は用いない。
【００８０】
押さえ金具Ｐ８は、四隅部に爪状の下方突起部Ｐ８ａを有する正方形状をなす板状部材の中央部に貫通孔を有してなる。
【００８１】
押え金具Ｐ８は、その貫通孔にはぜ金具Ｐの雄螺子部Ｐ１を挿通し、支持体Ｓとの間に植物生育層形成マットＭ及びその上に配された網状体Ｚを位置させた状態で、雄螺子部Ｐ１に対しナットＰ５で固定される。押え金具Ｐ８の下方突起部Ｐ８ａは、植物生育層形成マットＭに食い込むことにより植物生育層形成マットＭをより確実に挟持している。
図１１における他の符号は、図１乃至図８に示すものと同じものを示す。
【００８２】
[2] 本発明の実施の形態を、上記以外の形態を含めて更に説明する
【００８３】
(1) 波形状構造部
【００８４】
本発明が対象とする波形状構造部の主な例としては、波形状断面屋根（山部と溝部が一定方向に所定繰り返し長で繰り返される屋根）を挙げることができる。
【００８５】
波形状断面屋根としては、図示のはぜ継ぎ式折板屋根の他、別種のはぜ継ぎ式折板屋根、はぜ継ぎ式ではない折板屋根、その他の山部と溝部が一定方向に所定繰り返し長で繰り返される波形状断面屋根を挙げることができる。
【００８６】
また、この例では屋根は水平状をなすが、本発明の趣旨を逸脱しない限り、必ずしも水平に限るものではない。
【００８７】
また、波形状断面屋根等の波形状構造部は、所定位置（例えば各山部の軸線方向に一定間隔おきの位置であって、山部の軸線方向に直交する方向において一列に並ぶ位置）にそれぞれ雄螺子部（上方突出の保持可能部）を予め上向きに突出するものであってもよい。
【００８８】
(2) 支持体
【００８９】
支持体は、前記波形状構造部における複数の山部のそれぞれの上に、１又は山部の軸線方向間隔おきに２以上設けられる。
【００９０】
全ての山部に支持体が設けられてもよく、支持体が設けられない山部があってもよい。また、支持体が設けられる山部の全てにそれぞれ複数の支持体が設けられてもよく、１つの支持体のみが設けられる山部があってもよい。
【００９１】
支持体は、その上に多孔平板状部材の一部を支持し得るものであり、例えば、上側に多孔平板状部材の一部を支持し得る板状部、格子状部、連子状部、又は網状部を備えるものとすることができる。
【００９２】
支持体は、例えば、平面視において正方形状若しくは長方形状、その他の多角形状、円形状、又は楕円形状とすることができるが、これに限るものではない。
【００９３】
波形状構造部の山部の上に支持体を設ける手段としては、山部に対し、直接固定、又は、はぜ金具等の山部に固定された部材を介して固定する手段を採用し得る。より具体的には、例えば、はぜ部に固定されたはぜ金具の雄螺子部に固定孔を嵌合させてナット等により締結する方法を用いることができるが、これに限らず、種々の固定手段を採用し得る。
【００９４】
１つの支持体が、波形状構造部における、その支持体が設けられている山部を挟む両隣接山部のそれぞれ中心位置間の距離に占める寸法は、例えば、両隣接山部の中心位置間の距離の５−３０％程度とすることができる。好ましくは１０乃至２０％である。
【００９５】
(3) 多孔平板状部材
【００９６】
多孔平板状部材は、その上に植物生育層を支持するためのものであって、その植物生育層から流下する水系液体が厚さ方向に透過し得るものである。
【００９７】
多孔平板状部材としては、例えば、各種スノコ状構造体、格子状構造体、ワイヤーネット、金網、金属製又はその他の材料からなるパンチングボード等を用いることができる。多孔平板状部材の平面視形状としては、長方形状、正方形状又はその他の多角形状等を適宜採用し得る。好ましくは方形状（長方形状又は正方形状）である。
【００９８】
多孔平板状部材は、製造、管理、施工等の上で、単一の又は複数の所定の形態であることが好ましい。より好ましくは単一の所定の形態（平面視形状として好ましいのは長方形状又は正方形状）である。
【００９９】
多孔平板状部材の具体例としては、縦横直交状の枠状部からなり、その枠状部により正方形状の格子目が縦横に整列形成され、平面視において前記枠状部に平行な外周縁からなる方形状をなし、各外周縁は、前記縦横の枠状部が格子目の半幅以下の長さ（例えば好ましくは５分の１幅乃至半幅、より好ましくは半幅の長さ。）それぞれ外方に延設されて形成されているもの（縦方向の外周縁部においては横方向の枠状部が同一軸線上に延設され、横方向の外周縁部においては縦方向の枠状部が同一軸線上に延設されて形成されているもの）、より具体的には、ワイヤーネットによりこれを形成したものを挙げることができる。
【０１００】
各多孔平板状部材は、２以上の山部に設けられた支持体であって一直線上にない３以上の支持体を含む前記支持体（例えば、任意の３つが一直線上にない３以上の支持体［例えば４つの支持体］を含む３以上の支持体［好ましくは４以上の支持体］）上に支持される。
【０１０１】
各多孔平板状部材を支持する支持体は、少なくとも外周縁部に位置するものであることが好ましい。多孔平板状部材が平面視において方形状又はその他の多角形状である場合、支持体は、平面視における多孔平板状部材の角部（隅部）に少なくとも位置すること（四角形以上の多角形の場合は少なくとも４箇所の角部）が好ましい。各多孔平板状部材を支持する支持体は、各多孔平板状部材の平面視における内方部において多孔平板状部材を支持するものを含んでいてもよい。
【０１０２】
互いに隣接した複数の多孔平板状部材を有する場合、少なくとも一部の支持体上には、互いに隣接した複数の多孔平板状部材の何れもが支持されているものとすることができる。このような支持体の例としては、隣接した複数の多孔平板状部材における並行隣接する両外周縁部を１つの支持体により支持するものや、お互いの角部（隅部）の頂点が相接している隣接した複数の多孔平板状部材における２以上の角部を１つの支持体により支持するもの（例えば、平面視方形状の２乃至４つの多孔平板状部材が、それぞれの角部［隅部］の頂点が相接する状態で縦および／または横に隣接したそれらの多孔平板状部材の角部［隅部］を１つの支持体が支持するもの）を挙げることができる。
【０１０３】
各多孔平板状部材は、２、３又は４以上の山部にわたる状態で各支持体上に支持されるものとすることができる。
【０１０４】
(4) 位置決め機構
【０１０５】
支持体が有する位置決め機構は、支持体に対し前記多孔平板状部材を所定の水平方向位置関係に位置決めするためのものである。
【０１０６】
位置決め機構は、支持体上に水平状に支持された多孔平板状部材の、支持体に対する水平方向の位置及び姿勢（水平方向の角度）を所定状態に支持し得る。位置決め機構は、例えば、多孔平板状部材の外周縁部若しくは外周縁部の突起部に当接若しくは嵌合等することにより、或いは、厚さ方向の透孔を有する場合は透孔に嵌合したり透孔の内周部に当接することにより多孔平板状部材を所定の水平方向位置関係に位置決めするものとすることができる。
【０１０７】
単一の又は複数の所定の形態の複数の多孔平板状部材を、それらに適合する所定位置に配設された支持体群上に支持し、それらの支持体が有する位置決め機構により、支持体に対し多孔平板状部材が所定の水平方向位置関係に位置決めされることにより、各多孔平板状部材を所望の位置に位置決めして配設することができる。
【０１０８】
また、支持体が、垂直方向の１本のボルト或いはその他の１本の垂直方向部材に対しナット等により締結固定され、そのボルト等に対し水平方向に自転可能なものである場合、多孔平板状部材が複数の支持体上に支持されて各位置決め機構により支持体に対し所定の水平方向位置関係に位置決めされることにより、それらの各支持体の水平方向自転を防ぐことができる。
【０１０９】
多孔平板状部材が、縦横直交状の枠状部からなり、その枠状部により正方形状の格子目が縦横に整列形成され、平面視において前記枠状部に平行な外周縁からなる方形状をなし、各外周縁は、前記縦横の枠状部が格子目の半幅の長さそれぞれ外方に延設されて形成されているものである場合、支持体が有する位置決め機構は、水平方向の９０度中心角毎に、多孔平板状部材の隅部における縦横ｎ本目（但し、ｎは１以上の整数）の枠状部のうち両枠状部の交差位置よりも外方部分について、少なくとも上向きに支持する上向き支持部と、支持体に対し縦方向の枠状部が横方向外方に移動すること及び横方向の枠状部が縦方向外方に移動することを阻止する外方移動阻止部からなるものとすることができる。
【０１１０】
支持体に対し縦方向の枠状部が横方向外方に移動することを阻止する外方移動阻止部と、支持体に対し横方向の枠状部が縦方向外方に移動することを阻止する外方移動阻止部は、分離しているものとすることができ、多孔平板状部材の隅部における最外方から縦横ｎ本目の枠状部のうち両枠状部の交差位置付近が、分離した両外方移動阻止部の間に位置するものとすることができる。また各外方移動阻止部は、隣接する９０度中心角部分における外方移動阻止部と連続していてもよく、分離していてもよい。
【０１１１】
また、多孔平板状部材が前記と同様の構成の場合、支持体のうち所定位置を中心とする水平方向の９０度中心角毎に備える外方移動阻止部で囲まれた部分が、多孔平板状部材における縦横（２ｎ−１）の格子目からなる正方形状部分の外周を構成する枠状部に対応し、前記水平方向の９０度中心角毎に、４つの多孔平板状部材の隅部を、互いに縦方向及び横方向に隣接させて支持体上に支持することにより、隣接する多孔平板状部材の隅部を構成する枠状部の端部同士が各枠状部の軸方向において近接した（接する場合を含む）ものとすることができる。
【０１１２】
更に、多孔平板状部材が前記と同様の構成の場合、四隅部が位置する箇所に設けられる支持体と同じ支持体が、多孔平板状部材の四隅部が位置する箇所以外の箇所にも設けられ（全ての支持体が、四隅部が位置する箇所に設けられる支持体と同じものとすることができる）、その支持体における上向き支持部、及び、外方移動阻止部が、縦横（２ｎ−１）の格子目からなる正方形状部分の外周を構成する枠状部について、それぞれ、少なくとも上向きに支持し、及び、支持体に対し縦方向の枠状部が横方向外方に移動することと横方向の枠状部が縦方向外方に移動することを阻止するものとすることがでいる。
【０１１３】
なお、支持体上に支持されて位置決め機構により支持体に対し所定の水平方向位置関係に位置決めされた多孔平板状部材を、支持体に対し保持するための保持体を、支持体とは別に又は支持体と一体状に有するものとすることができる。このような保持体としては、例えば、支持体上に支持された多孔平板状部材が上方に離脱することを防ぐように多孔平板状部材を押さえる状態又は覆う状態で保持するよう、例えば支持体を山部上に固定するためのはぜ金具等の部材に対し或いは支持体に対し固定されるものを挙げることができる。
【０１１４】
(5) 植物生育層
【０１１５】
植物生育層、特に保水性を有する植物生育層を形成するための植物生育層形成体としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、その他の各種植物生育材料を用いることができる。植物生育層形成体の厚さは、例えば１乃至２０ｃｍとすることができる。好ましくは２乃至１５ｃｍ、より好ましくは３乃至１０ｃｍであるが、これに限られるものではない。
【０１１６】
植物生育層における生育対象植物の例としては、コケ類、芝類、セダム類、つた類等を挙げることができるが、これらに限るものではない。
【０１１７】
多孔平板状部材上に支持される植物生育層形成体や植物生育層形成体により形成される植物生育層に生育される植物類の脱落は、例えば、外周縁部又は角部（隅部）等を押える端部押え具や、上面部を全体的に押えるワイヤ、ワイヤネット、その他の網状体等の上面部押え具により防ぐことができる。これらの端部押え具や上面部押え具は、支持体を山部上に固定するためのはぜ金具等の部材やそのような部材に結合した他の部材に対し固定するものとすることができる。
【符号の説明】
【０１１８】
Ｆ      折板屋根
Ｆ１    溝部
Ｆ２    山部
Ｆ３    はぜ部
Ｆａ    折板ユニット
Ｇ      植物生育層支持構造
Ｈ      保持体
Ｌ      所定繰り返し長
Ｍ      植物生育層形成マット
Ｎ      ワイヤーネット
Ｎ１    横方向針金
Ｎ１ａ  横方向外方延設部
Ｎ２    縦方向針金
Ｎ２ａ  縦方向外方延設部
Ｎ３    格子目
Ｐ      はぜ金具
Ｐ１    雄螺子部
Ｐ２    笠付きナット
Ｐ３    押え金具
Ｐ３ａ  貫通孔
Ｐ３ｂ  ワイヤ端部掛止孔
Ｐ３ｃ  下方突起部
Ｐ４    ワイヤ押さえ
Ｐ５    ナット
Ｐ６    スペーサ
Ｐ７    押え金具
Ｐ７ａ  下方突起部
Ｐ８    押え金具
Ｐ８ａ  下方突起部
Ｓ      支持体
Ｓ１    平板部
Ｓ２    立上部
Ｓ３    固定孔
Ｓ４    隅部
Ｕ      縁押さえ金具
Ｕ１    継目覆い
Ｕ２    交差部覆い
Ｗ      ワイヤ
Ｗ１    折返端部
Ｙ      ワイヤーネット
Ｙ１    押さえワイヤ
Ｚ      網状体
【図１】
0005509249.tif 000002
【図２】
0005509249.tif 000003
【図３】
0005509249.tif 000004
【図４】
0005509249.tif 000005
【図５】
0005509249.tif 000006
【図６】
0005509249.tif 000007
【図７】
0005509249.tif 000008
【図８】
0005509249.tif 000009
【図９】
0005509249.tif 000010
【図１０】
0005509249.tif 000011
【図１１】
0005509249.tif 000012